(57)【要約】【課題】サブディスプレイの周辺に発光素子を補助的に設け、ユーザが所望する情報に応じて発光素子を点灯するようにした携帯端末装置を提供する。【解決手段】音声や電子メールの受信通知機能以外の複数の機能を実行可能な携帯電話機１０であって、各機能を実行する制御回路３６と、制御回路３６により実行中の機能の中から所望の機能を選択する入力部４４と、入力部４４により選択された機能によって報知される情報に基づいて発光する発光部５０と、を備え、発光部５０は、複数の報知情報の内容に応じてそれぞれ異なる態様で発光する。【選択図】図１
2009147777.tif 000002
【特許請求の範囲】
【請求項１】
音声や電子メールの受信通知機能以外の複数の機能を実行可能な携帯端末装置であって、
前記各機能を実行する実行手段と、
前記実行手段により実行中の機能の中から所望の機能を選択する選択手段と、
前記選択手段により選択された機能によって報知される情報に基づいて発光する発光手段と、を備え、
前記発光手段は、複数の報知情報の内容に応じてそれぞれ異なる態様で発光することを特徴とする携帯端末装置。
【請求項２】
前記携帯端末装置は、
前記実行手段により実行中の機能を表すアイコンを複数表示可能な第１の表示手段と、
前記選択手段により選択された機能を表すアイコンを表示可能な第２の表示手段と、
を備えることを特徴する請求項１に記載の携帯端末装置。
【請求項３】
前記携帯端末装置は、第１の筐体と第２の筐体とを可動連結部で連結し、前記２つの筐体の相対位置を閉じた状態から開いた状態へあるいは開いた状態から閉じた状態へと開閉可能であり、
前記第１の表示手段は、前記２つの筐体の少なくとも一方に前記２つの筐体が開いた状態で露出するように設けられ、
前記第２の表示手段と発光手段は、前記２つの筐体の少なくとも一方に前記２つの筐体が閉じた状態で露出するように設けられていることを特徴とする請求項２に記載の携帯端末装置。
【請求項４】
前記携帯端末装置は、
前記実行手段により実行中の機能に関連する情報を受信する受信手段を、備え、
前記発光手段は、前記受信手段により受信した情報に応じてそれぞれ異なる態様で発光することを特徴とする請求項１ないし請求項３の何れか１項に記載の携帯端末装置。
【請求項５】
前記発光手段は、複数の報知内容の種類に応じて各種カラーで発光することを特徴とする請求項１ないし請求項４の何れか１項に記載の携帯端末装置。
【請求項６】
前記発光手段は、複数の報知内容の種類に応じて各種点灯点滅パターンで発光することを特徴とする請求項１ないし請求項４の何れか１項に記載の携帯端末装置。
【請求項７】
第１の筐体と第２の筐体とを可動連結部で連結し、前記２つの筐体の相対位置を閉じた状態から開いた状態へあるいは開いた状態から閉じた状態へと開閉可能であり、音声や電子メールの受信通知機能以外の複数の機能を実行可能な携帯端末装置であって、
前記２つの筐体の少なくとも一方に前記２つの筐体が開いた状態で露出するように設けられた第１の表示手段と、
前記２つの筐体の少なくとも一方に前記２つの筐体が閉じた状態で露出するように設けられた第２の表示手段と、
前記２つの筐体の少なくとも一方に前記２つの筐体が閉じた状態で露出するように設けられた発光手段と、
前記各機能を実行する実行手段と、
前記実行手段により実行中の機能の中から所望の機能を選択する選択手段と、
前記実行手段により実行中の機能に関連する情報を受信する受信手段と、
前記２つの筐体の開閉状態を検知する開閉検知手段と、
を備え、
前記選択手段により選択された機能に関連する情報を受信した際に、前記開閉検知手段によって前記２つの筐体が閉じた状態にあると判断された場合には前記発光手段は前記情報の内容に応じてそれぞれ異なる態様で発光し、前記２つの筐体が開いた状態にあると判断された場合には前記第１の表示手段は前記情報の内容を表示し、
前記選択手段により選択されない機能に関連する情報を受信した際に、前記開閉検知手段によって前記２つの筐体が閉じた状態にあると判断された場合には前記第２の表示手段は前記情報の内容を表示し、前記２つの筐体が開いた状態にあると判断された場合には前記第１の表示手段は前記情報の内容を表示する
ことを特徴とする携帯端末装置。
【発明の詳細な説明】
【技術分野】
【０００１】
本発明は、携帯端末装置に関するものであり、特に、ＬＥＤなどの発光素子を備えた携帯端末装置に関するものである。
【背景技術】
【０００２】
近年、２つの筐体がヒンジ機構を介して互いに開閉可能に連結されている折り畳み式の携帯電話機が広く普及している。また、最近では折り畳み構造の開いた状態で主に表示される液晶メインディスプレイと、折り畳み構造の閉じた状態で主に表示される液晶サブディスプレイとを備えた携帯電話機が提案されている。
【０００３】
このような折り畳み式携帯電話機の従来例としては、例えば、下記の特許文献１（特開２０００−２３２５０２号公報）に記載されている。この携帯電話機は、正面の第１の表示器以外に折り畳み構造の閉じた状態でも外部から見える第２の表示器を備えるように構成されている。
【０００４】
この特許文献１に開示された技術によれば、折り畳み構造の閉じた状態でも必要な情報を第２の表示器で確認することができるので、鳴音を鳴らさないモードで待ち受けしていても自機への着信が容易にわかり、また着信時に従来よりも早く対応することができる。
【０００５】
また、近年、液晶ディスプレイ（ＬＣＤ）に代わり、高品質な表示が可能であり、低消費電力で、軽量化および薄型化が容易なディスプレイとして、有機ＥＬ（Ｅｌｅｃｔｒｏ  Ｌｕｍｉｎｅｓｃｅｎｃｅ）素子を用いた有機ＥＬディスプレイが注目されている。
【０００６】
有機ＥＬ素子は自己発光型の表示素子であり、視野角が広く、コントラストや視認性に優れている。また、バックライトが不要のため、軽量化と薄型化とが可能であり、低消費電力化を実現することができるなどの利点を有しているため、特に、携帯電話機などの小型の携帯端末装置などにおいての利用が期待されている。
【特許文献１】特開２０００−２３２５０２号公報（段落［００１１］、図１）
【発明の開示】
【発明が解決しようとする課題】
【０００７】
しかしながら、有機ＥＬディスプレイは液晶ディスプレイに比較すると製造コストが高く、特に、表示画面が大きく、カラータイプの有機ＥＬディスプレイはかなり割高のため、携帯電話機に用いられているディスプレイをカラー有機ＥＬディスプレイによって構成しようとすると携帯電話機の製造コストが高くなるという問題がある。
【０００８】
特に、上記特許文献１に開示された技術によれば、メインディスプレイ（第１の表示器）以外に折り畳み構造の閉じた状態でも外部から見えるサブディスプレイ（第２の表示器）を備える携帯電話機では、表示器が１つ増える分コストアップとなる。このため、第２の表示器の表示画面の大きさを十分に確保するのが難しいという問題点がある。
【０００９】
また、カラー有機ＥＬディスプレイの代わりにモノクロの有機ＥＬディスプレイにすることでコストダウンを図ることも可能ではあるが、モノクロ表示にすると視認性が低下してしまうという問題点がある。
【００１０】
したがって、携帯電話機の製造コストを抑えることができるように、サブディスプレイがカラー有機ＥＬ素子を用いた表示画面の小さいものであっても、モノクロ有機ＥＬ素子を用いた視認性の低いものであっても、ユーザが所望する情報を視認性に優れた形態で提示することができる方法の実現が望まれている。
【００１１】
本願の発明者は上記の問題点を解消すべく種々検討を重ねた結果、サブディスプレイの周辺に発光素子を補助的に設けるようになせば、上記の問題点を解消し得ることを想到し本発明を完成するに至ったものである。
【００１２】
すなわち、本発明は、上記の問題点を解消することを課題とし、サブディスプレイの周辺に発光素子を補助的に設け、ユーザが所望する情報に応じて発光素子を点灯するようにした携帯端末装置を提供することを目的とするものである。
【課題を解決するための手段】
【００１３】
前記課題を解決するために、本願の請求項１にかかる発明は、音声や電子メールの受信通知機能以外の複数の機能を実行可能な携帯端末装置であって、前記各機能を実行する実行手段（例えば下記実施例では、制御回路３６に相当する）と、前記実行手段により実行中の機能の中から所望の機能を選択する選択手段（例えば下記実施例では、入力部４４に相当する）と、前記選択手段により選択された機能によって報知される情報に基づいて発光する発光手段（例えば下記実施例では、発光部５０に相当する）と、を備え、前記発光手段は、複数の報知情報の内容に応じてそれぞれ異なる態様で発光することを特徴とする。
【００１４】
また、本願の請求項２にかかる発明は、請求項１にかかる携帯端末装置において、前記実行手段により実行中の機能を表すアイコンを複数表示可能な第１の表示手段（例えば下記実施例では、メインディスプレイ４２に相当する）と、前記選択手段により選択された機能を表すアイコンを表示可能な第２の表示手段（例えば下記実施例では、サブディスプレイ４８に相当する）と、を備えることを特徴する。
【００１５】
また、本願の請求項３にかかる発明は、請求項２にかかる携帯端末装置において、前記携帯端末装置は、第１の筐体（例えば下記実施例では、操作側筐体１０１に相当する）と第２の筐体（例えば下記実施例では、表示側筐体１０２に相当する）とを可動連結部（例えば下記実施例では、ヒンジ機構１０３に相当する）で連結し、前記２つの筐体の相対位置を閉じた状態から開いた状態へあるいは開いた状態から閉じた状態へと開閉可能であり、前記第１の表示手段は、前記２つの筐体の少なくとも一方に前記２つの筐体が開いた状態で露出するように設けられ、前記第２の表示手段と発光手段は、前記２つの筐体の少なくとも一方に前記２つの筐体が閉じた状態で露出するように設けられていることを特徴とする。
【００１６】
また、本願の請求項４にかかる発明は、請求項１ないし請求項３の何れか１項にかかる携帯端末装置において、前記実行手段により実行中の機能に関連する情報を受信する受信手段（例えば下記実施例では、通信部１２、ベースバンド部１４、およびアンテナ１６に相当する）を、備え、前記発光手段は、前記受信手段により受信した情報に応じてそれぞれ異なる態様で発光することを特徴とする。
【００１７】
また、本願の請求項５にかかる発明は、請求項１ないし請求項４の何れか１項にかかる携帯端末装置において、前記発光手段は、複数の報知内容の種類に応じて各種カラーで発光することを特徴とする。
【００１８】
また、本願の請求項６にかかる発明は、請求項１ないし請求項４の何れか１項にかかる携帯端末装置において、前記発光手段は、複数の報知内容の種類に応じて各種点灯点滅パターンで発光することを特徴とする。
【００１９】
また、本願の請求項７にかかる発明は、第１の筐体と第２の筐体と（例えば下記実施例では、操作側筐体１０１と表示側筐体１０２に相当する）を可動連結部（例えば下記実施例では、ヒンジ機構１０３に相当する）で連結し、前記２つの筐体の相対位置を閉じた状態から開いた状態へあるいは開いた状態から閉じた状態へと開閉可能であり、音声や電子メールの受信通知機能以外の複数の機能を実行可能な携帯端末装置であって、前記２つの筐体の少なくとも一方に前記２つの筐体が開いた状態で露出するように設けられた第１の表示手段（例えば下記実施例では、メインディスプレイ４２に相当する）と、前記２つの筐体の少なくとも一方に前記２つの筐体が閉じた状態で露出するように設けられた第２の表示手段（例えば下記実施例では、サブディスプレイ４８に相当する）と、前記２つの筐体の少なくとも一方に前記２つの筐体が閉じた状態で露出するように設けられた発光手段（例えば下記実施例では、発光部５０に相当する）と、前記各機能を実行する実行手段（例えば下記実施例では、制御回路３６に相当する）と、前記実行手段により実行中の機能の中から所望の機能を選択する選択手段（例えば下記実施例では、入力部４４に相当する）と、前記実行手段により実行中の機能に関連する情報を受信する受信手段（例えば下記実施例では、通信部１２、ベースバンド部１４、およびアンテナ１６に相当する）と、前記２つの筐体の開閉状態を検知する開閉検知手段（例えば下記実施例では、開閉検知部５２に相当する）と、を備え、前記選択手段により選択された機能に関連する情報を受信した際に、前記開閉検知手段によって前記２つの筐体が閉じた状態にあると判断された場合には前記発光手段は前記情報の内容に応じてそれぞれ異なる態様で発光し、前記２つの筐体が開いた状態にあると判断された場合には前記第１の表示手段は前記情報の内容を表示し、前記選択手段により選択されない機能に関連する情報を受信した際に、前記開閉検知手段によって前記２つの筐体が閉じた状態にあると判断された場合には前記第２の表示手段は前記情報の内容を表示し、前記２つの筐体が開いた状態にあると判断された場合には前記第１の表示手段は前記情報の内容を表示することを特徴とする。
【発明の効果】
【００２０】
請求項１にかかる発明においては、携帯端末装置は、音声や電子メールの受信通知機能以外の複数の機能を実行可能な携帯端末装置であって、前記各機能を実行する実行手段と、前記実行手段により実行中の機能の中から所望の機能を選択する選択手段と、前記選択手段により選択された機能によって報知される情報に基づいて発光する発光手段と、を備え、前記発光手段は、複数の報知情報の内容に応じてそれぞれ異なる態様で発光する。
【００２１】
このような構成によれば、ユーザが所望する機能によって報知される情報に基づいて発光手段を発光することでユーザは所望する情報を容易に把握することができるため、視認性に優れた表示を提供することが可能であるとともに、携帯端末装置の製造コストを低く抑えることも可能である。
【００２２】
また、請求項２にかかる発明のおいては、請求項１にかかる携帯端末装置において、前記携帯端末装置は、前記実行手段により実行中の機能を表すアイコンを複数表示可能な第１の表示手段と、前記選択手段により選択された機能を表すアイコンを表示可能な第２の表示手段と、を備える。
【００２３】
このような構成によれば、ユーザが所望する機能によって報知される情報に基づいて発光手段を発光することでユーザは所望する情報を容易に把握することができるため、視認性に優れた表示を提供することが可能であるとともに、携帯端末装置の製造コストを低く抑えることも可能である。また、ユーザが選択した機能の認識も容易となるため、ユーザにとっての利便性が向上する。
【００２４】
また、請求項３にかかる発明のおいては、請求項２にかかる携帯端末装置において、前記携帯端末装置は、第１の筐体と第２の筐体とを可動連結部で連結し、前記２つの筐体の相対位置を閉じた状態から開いた状態へあるいは開いた状態から閉じた状態へと開閉可能であり、前記第１の表示手段は、前記２つの筐体の少なくとも一方に前記２つの筐体が開いた状態で露出するように設けられ、前記第２の表示手段と発光手段は、前記２つの筐体の少なくとも一方に前記２つの筐体が閉じた状態で露出するように設けられている。
【００２５】
このような構成によれば、発光手段は携帯端末装置を構成する２つの筐体が閉じた状態でも視認可能なように設けられているのでユーザが所望する機能によって報知される情報に基づいて発光手段を発光することでユーザは所望する情報を容易に把握することができるため、視認性に優れた表示を提供することが可能であるとともに、携帯端末装置の製造コストを低く抑えることも可能である。
【００２６】
また、第２の表示手段も携帯端末装置を構成する２つの筐体が閉じた状態でも視認可能なように設けられているのでユーザが選択した機能の認識も容易となるため、ユーザにとっての利便性が向上する。
【００２７】
また、請求項４にかかる発明のおいては、請求項１ないし請求項３の何れか１項にかかる携帯端末装置において、前記携帯端末装置は、前記実行手段により実行中の機能に関連する情報を受信する受信手段を、備え、前記発光手段は、前記受信手段により受信した情報に応じてそれぞれ異なる態様で発光する。
【００２８】
このような構成によれば、ユーザが所望する機能によって受信される情報に基づいて発光手段を発光することでユーザは所望する情報を容易に把握することができるため、視認性に優れた表示を提供することが可能であるとともに、携帯端末装置の製造コストを低く抑えることも可能である。
【００２９】
また、請求項５にかかる発明のおいては、請求項１ないし請求項４の何れか１項にかかる携帯端末装置において、前記発光手段は、複数の報知内容の種類に応じて各種カラーで発光する。
【００３０】
このような構成によれば、ユーザが所望する機能によって報知される情報の種類に応じて各種カラーで発光手段を発光することでユーザは所望する情報を容易に把握することができるため、視認性に優れた表示を提供することが可能であるとともに、携帯端末装置の製造コストを低く抑えることも可能である。
【００３１】
また、請求項６にかかる発明のおいては、請求項１ないし請求項４の何れか１項にかかる携帯端末装置において、前記発光手段は、複数の報知内容の種類に応じて各種点灯点滅パターンで発光する。
【００３２】
このような構成によれば、ユーザが所望する機能によって報知される情報の種類に応じて各種点灯点滅パターンで発光手段を発光することでユーザは所望する情報を容易に把握することができるため、視認性に優れた表示を提供することが可能であるとともに、携帯端末装置の製造コストを低く抑えることも可能である。
【００３３】
また、請求項７にかかる発明においては、携帯端末装置は、選択された機能に関連する情報を受信した際に、２つの筐体が閉じた状態にあると判断された場合には発光手段は前記情報の内容に応じてそれぞれ異なる態様で発光し、２つの筐体が開いた状態にあると判断された場合には第１の表示手段は前記情報の内容を表示し、一方、選択されない機能に関連する情報を受信した際に、２つの筐体が閉じた状態にあると判断された場合には第２の表示手段は前記情報の内容を表示し、２つの筐体が開いた状態にあると判断された場合には第１の表示手段は前記情報の内容を表示する。
【００３４】
このような構成によれば、２つの筐体が閉じた状態でもユーザが所望する機能によって報知される情報に基づいて発光する発光手段は視認可能であり、ユーザは所望する情報を容易に把握することができるため、視認性に優れた表示を提供することが可能である。
【発明を実施するための最良の形態】
【００３５】
以下、本発明の具体例を実施例及び図面を用いて詳細に説明する。但し、以下に示す実施例は、本発明の技術思想を具体化するための携帯電話機を例示するものであって、本発明をこの携帯電話機に特定することを意図するものではなく、特許請求の範囲に含まれるその他の実施形態の携帯端末装置にも等しく適用し得るものである。
【実施例】
【００３６】
図１は、本発明の実施例にかかる携帯電話機の概観を示す図である。図１（ａ）は待ち受け時に閉じた状態で使用される携帯電話機の概観を示し、図１（ｂ）は通話時あるいは設定操作時に開いた状態で使用される携帯電話機の概観を示している。
【００３７】
図１に示すように、携帯電話機１０は、マイクロホン３０が配備された操作側筐体１０１の上端部と第１のスピーカ２６が配備された表示側筐体１０２の下端部とがヒンジ機構１０３を介して互いに開閉可能に連結されており、閉じた状態で互いに対向することとなる操作側筐体１０１の表面と表示側筐体１０２の表面にはそれぞれ、入力部４４とメインディスプレイ４２が配設されている。
【００３８】
また、閉じた状態において外部に露出する表示側筐体１０２の背面には、サブディスプレイ４８と複数の発光部５０（本実施形態では３個のＬＥＤ素子となる）が設けられており、操作側筐体１０１の上端部には、アンテナ１６が突設されている。操作側筐体１０１と表示側筐体１０２の連結部には、表示側筐体１０２の開閉状態を検知する開閉検知部５２が取り付けられている。
【００３９】
このように、上記実施例の携帯電話機１０では、複数の発光部５０が閉じた状態において外部に露出する表示側筐体１０２の背面に設けられており、待ち受け時に閉じた状態で使用される場合にも、発光を視認することができる。
【００４０】
図２は、本発明の実施例にかかる携帯電話機の構成を示すブロック図である。携帯電話機１０は、通信部１２、ベースバンド部１４、アンテナ１６、切替回路２２、増幅回路２４、２８、３２、第１スピーカ２６、マイクロホン３０、第２スピーカ３４、制御回路３６、ＲＯＭ３８、ＲＡＭ４０、メインディスプレイ４２、入力部４４、照明部４６、サブディスプレイ４８、発光部５０、開閉検知部５２などを備えて構成されている。
【００４１】
なお、制御回路３６は本発明の実行手段に相当し、入力部４４は本発明の選択手段に相当し、発光部５０は本発明の発光手段に相当し、メインディスプレイ４２は本発明の第１の表示手段に相当し、サブディスプレイ４８は本発明の第２の表示手段に相当し、通信部１２、ベースバンド部１４、およびアンテナ１６は本発明の受信手段に相当する。
【００４２】
また、本実施例は、携帯端末装置として携帯電話機を示すものであるが、これに限定されず、ＰＤＡ（Ｐｅｒｓｏｎａｌ  Ｄｉｇｉｔａｌ  Ａｓｓｉｓｔａｎｔ）、携帯音楽プレーヤや携帯ゲーム機などの携帯型の端末装置であってもよい。
【００４３】
図２に示すように、携帯電話機１０は、アンテナ１６と接続された通信部１２を備えている。この通信部１２は、後述のベースバンド部１４からの信号を、アンテナ１６を介して基地局へ発信し、あるいはアンテナ１６を介して基地局からの電波を受信する。
【００４４】
通信部１２には、ベースバンド部１４が接続されている。このベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００４５】
ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００４６】
切替回路２２には、増幅回路２８を介してマイクロホン３０が接続されている。このマイクロホン３０は、通話に使用され、音声を電気信号に変換する。マイクロホン３０により入力された電気信号は増幅回路２８で増幅されてベースバンド部１４に出力される。
【００４７】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信メロディ等の着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００４８】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００４９】
また、通信部１２、ベースバンド部１４、切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
【００５０】
制御回路３６は、マイクロプロセッサを主たる構成要素とし、ＲＯＭ３８とＲＡＭ４０が接続されており、ＲＯＭ３８に格納されているシステムプログラムに基づき各部を制御する。プログラム実行中に一時的に保持する必要の生じたデータはＲＡＭ４０に保存される。
【００５１】
また、制御回路３６は、ＲＡＭ４０に記憶されている各種アプリケーション（機能プログラム）を起動させて各種機能を実行する。ここで、実行される機能とは、例えば、ネットワーク上をパケット通信によって自動配信される天気情報や株価情報などを受信し、その情報をメインディスプレイ４２などに表示させる天気情報受信機能である。
【００５２】
なお、実行される各種アプリケーション（機能プログラム）は、携帯電話機１０の電源をオンにした際やタイマ起動設定により所定時刻になった際に自動的に起動されてもよいし、入力部４４からの操作設定によってユーザが所望する機能を選択的に起動させてもよい。
【００５３】
また、ＲＡＭ４０には、起動される各種アプリケーション、アドレス帳や受信メールなどを記憶するだけではなく、配信されたコンテンツデータを記憶している。ここで、コンテンツデータとは、天気情報データ、株価情報データなどを含み、コンテンツデータは、所定のサーバからネットワークを介して自動配信され、配信されたコンテンツデータに対応するアプリケーション（機能プログラム）が実行されていると制御回路３６の指示により通信部１２を介して受信され、ＲＡＭ４０に記憶される。
【００５４】
また、ＲＡＭ４０には、メインディスプレイ４２やサブディスプレイ４８に表示されるアイコンデータを記憶するアイコンテーブルが設けられている。ここで、アイコンデータは、電池残量情報、天気情報受信中などを含み、携帯電話機１０の各種状態や携帯電話機１０にて実行中の各種機能（アプリケーション）、あるいは受信したコンテンツデータの内容を表している。
【００５５】
図３は、ＲＡＭ４０に記憶されているアイコンテーブルの一例を示している。図３の示すように、アイコンテーブルには、携帯電話機１０の各種状態や携帯電話機１０にて実行中の各種機能、あるいは受信したコンテンツデータの内容に対してアイコンの画像データが記憶されている。
【００５６】
具体的には、各種状態を示す情報３０１として「電池残量」や「メール着信」を示すアイコン、各種機能の実行中を示す情報３０２として「天気情報」や「株価情報」などの受信中（機能実行中）を示すアイコン、あるいは受信したコンテンツデータの一例である天気情報データの内容を示す情報３０３として「晴れ」や「曇り」や「雪」を示すアイコンなどが関連付けられて記憶されている。
【００５７】
制御回路３６には、入力部４４が接続されている。この入力部４４は、電話番号、文字などの入力、および各種設定の操作に用いるテンキーと、通話の開始を操作する通話キーと、通話の終了を操作する通話終了キーと、決定キーと、クリアキーと、上下左右移動キー、およびその他の操作キーを有している。ここで、テンキーには、０〜９の各数字入力ボタンと、♯ボタンと、＊ボタン（本実施形態では１２個のボタンとなる）とが含まれる。
【００５８】
また、全てのテンキーの表面と、テンキー周辺の筐体表面には、ユーザが接触したことを検知する接触検知センサが設けられている。この接触検知センサは、従来から知られているものであり、例えば、透明電極等が用いられている。携帯電話の筐体とキートップに配置されたこの接触検知センサは、制御回路３６と電気的に接続されている。この為、ユーザが接触検知センサに触れたことを示す信号は制御回路３６へ入力される。
【００５９】
尚、本実施例装置では、接触検知センサを筐体表面に配置しているが、筐体の裏面側やテンキーの裏面側のように筐体内部に配置しても良い。例えば、静電容量検知型の接触検知センサであれば、筐体内部に配置することが可能である。また、テンキーの裏面側一帯に接触検知センサを配置すると、キートップ上に接触検知センサを配置する構成に比べて配線が格段に簡易化される。
【００６０】
また、制御回路３６には、メインディスプレイ４２と照明部４６が接続されている。メインディスプレイ４２は例えばカラー液晶パネルまたはカラー有機ＥＬパネルからなり、制御回路３６の制御により、待ち受け画面、着信メッセージ、電話番号、メールその他の視覚情報を表示する。また、照明部４６は例えばＬＥＤ素子からなる。
【００６１】
そして、本実施例のメインディスプレイ４２は、携帯電話機１０の各種状態や携帯電話機１０にて実行中の各種アプリケーションを表すアイコンを表示する。例えば、図１（ｂ）に示すように、メインディスプレイ４２の表示画面下部にはアイコン表示領域が設けられ、通知された状態順および起動された機能順に左から配列された「電池残量」「メール着信」「天気情報」「株価情報」に関するアイコン４２１が表示される。
【００６２】
また、制御回路３６には、サブディスプレイ４８と発光部５０が接続されている。このサブディスプレイ４８は例えばカラー有機ＥＬパネルまたはモノクロ有機ＥＬパネルからなり、制御回路３６の制御により、待ち受け画面、着信メッセージ、時刻情報その他の視覚情報を表示する。また、発光部５０は例えば、発光色の異なる複数のＬＥＤ素子（本実施形態では３個のＬＥＤ素子）からなる。
【００６３】
また、制御回路３６には、開閉検知部５２が接続されている。この開閉検知部５２は、ユーザの操作によってヒンジ機構１０３の状態（操作側筐体１０１と表示側筐体１０２との相対位置）が変化して携帯電話機１０の表示側筐体１０２が開いた状態になったことを検知すると、開状態検知信号を制御回路３６に供給する。制御回路３６は、開閉検知部５８からの開状態検知信号に基づいて通信部１２を介して受信したコンテンツデータの内容をメインディスプレイ４２、サブディスプレイ４８、あるいは発光部５０から出力させる。
【００６４】
すなわち、本実施例のメインディスプレイ４２は、携帯電話機１０が通信部１２を介して受信するコンテンツデータとして、例えば、天気情報サーバから配信された天気情報を制御回路３６が受信した際に、携帯電話機１０の表示側筐体１０２が開いた状態になっている場合には、受信した天気情報に含まれる天気予報データを用いて予めＲＡＭ４０に記憶されているアイコンテーブルの中から天気予報データに対応するアイコンが制御回路３６によって選択され、選択されたアイコンを表示する。
【００６５】
また、本実施例のメインディスプレイ４２は、携帯電話機１０の各種状態や携帯電話機１０にて実行中の各種機能（アプリケーション）のうち、入力部４４からの操作設定によってユーザが選択しなかったアイコンが表す機能、例えば、株価情報受信機能が実行されていることによって、株価情報サーバから配信された株価情報を制御回路３６が受信した際に、携帯電話機１０の表示側筐体１０２が開いた状態になっている場合には、受信した株価情報に含まれる株価情報データを表示する。
【００６６】
また、本実施例のサブディスプレイ４８は、携帯電話機１０の各種状態や携帯電話機１０にて実行中の各種アプリケーションを表すアイコン（メインディスプレイ４２の表示画面下部に設けられたアイコン表示領域に表示されている複数のアイコン）のうち、入力部４４からの操作設定によってユーザが選択した所望のアイコンを表示する。例えば、図１（ａ）に示すように、サブディスプレイ４８の表示画面にはユーザが選択した「天気情報」に関するアイコン４８１が表示される。
【００６７】
さらに、本実施例のサブディスプレイ４８は、携帯電話機１０の各種状態や携帯電話機１０にて実行中の各種機能（アプリケーション）のうち、入力部４４からの操作設定によってユーザが選択しなかったアイコンが示す機能、例えば、株価情報受信機能が実行されていることによって、株価情報サーバから配信された株価情報を制御回路３６が受信した際に、携帯電話機１０の表示側筐体１０２が閉じた状態になっている場合には、受信した株価情報に含まれる株価情報データを表示する。
【００６８】
また、本実施例の発光部５０は、携帯電話機１０の各種状態や携帯電話機１０にて実行中の各種アプリケーションのうち、入力部４４からの操作設定によってユーザが選択した所望の機能（サブディスプレイ４８に表示されているアイコンが表す機能）によって、所定のサーバから配信されたコンテンツデータを制御回路３６が受信した際に、携帯電話機１０の表示側筐体１０２が閉じた状態になっている場合には、そのコンテンツデータの内容に応じてそれぞれ異なる態様で発光する。
【００６９】
具体的には、例えば、図１（ａ）に示すように、ユーザの選択によって「天気情報」に関するアイコンが表示されている場合には、実行されている天気情報受信機能によってネットワーク上に自動配信されて携帯電話機１０が受信する天気予報情報に応じて、発光部５０の発光パターンと発光色で天気情報を表示する。
【００７０】
図４は、発光部５０の発光パターンと発光色によって表される天気情報の一例を示している。図４に示すように、各天気情報に対して発光部が発光するパターンと色とが関連付けられて記憶されている発光制御テーブルを表している。例えば、天気情報と発光色との関係は、「晴れ：オレンジ」、「雨：ブルー」、「雪：ホワイト」となり、それぞれの発光パターンは、「▼▽▽」、「▽▼▽」、「▽▽▼」（ただし、発光部５０を構成する３個のＬＥＤ素子のうち、▼は発光するＬＥＤ素子を示し、▽は発光しないＬＥＤ素子を示している）などとなる。
【００７１】
この発光制御テーブルは、対応する機能プログラムが携帯電話機１０にプレインストールされている場合には予めＲＡＭ４０に記憶されている。あるいは、ネットワークを介してコンテンツサーバからこの機能プログラムをダウンロードする場合には、対応する発光制御テーブルを合わせてダウンロードする構成にしてもよい。
【００７２】
このように、制御回路３６は、天気情報受信機能が実行されており、さらにこの機能によって報知される天気情報を発光部５０によって確認できるように、入力部４４からの操作設定によってユーザが選択した場合には、選択した機能を表すアイコンを予めＲＡＭ４０に記憶されているアイコンテーブルの中から選択してサブディスプレイ４８に対して表示するように制御する。
【００７３】
そして、天気情報サーバから、アンテナ１６、通信部１２およびベースバンド部１４を介して天気情報を受信した際に、携帯電話機１０の表示側筐体１０２が開いた状態になっている場合には、受信した天気情報に含まれる天気予報データを用いて、予めＲＡＭ４０に記憶されている発光制御テーブルの中から対応する発光部５０の発光パターンと発光色を選択して発光部５０に対して対応するパターンと色で発光するように制御する。
【００７４】
また、制御回路３６は、実行中の機能であって、発光部５０によって報知内容を確認できるようにユーザが選択しなかったその他の機能によって報知される情報については、携帯電話機１０の表示側筐体１０２が閉じた状態になっている場合には、サブディスプレイ４８に対して表示するように制御し、携帯電話機１０の表示側筐体１０２が開いた状態になっている場合には、メインディスプレイ４２に対して表示するように制御する。
【００７５】
また、ユーザが選択した機能によって報知される情報についても、携帯電話機１０の表示側筐体１０２が開いた状態になっている場合には、メインディスプレイ４２に対して表示するように制御する。
【００７６】
なお、天気情報サーバは、天気情報を予め設定された時間単位（例えば、１時間毎）によりネットワーク上にパケット通信によって自動配信してもよいし、携帯電話機１０の制御回路３６から予めユーザにより設定された時間単位（例えば、１時間毎）により、天気情報サーバに対して天気情報の送信を依頼する天気情報要求を送信するように制御することにより、天気情報サーバはこの天気情報要求に応じて天気情報を配信してもよい。
【００７７】
このように制御すれば、制御回路３６は、携帯電話機１０の表示側筐体１０２が閉じた状態になっている場合に、受信した天気情報に応じて発光部５０の色とパターンで天気情報を表示することができるので、ユーザはメインディスプレイ４２に待ち受け画面として表示される天気情報を確認することなく、容易に発光部５０の色とパターンで天気情報を確認することができる。
【００７８】
なお、上記実施例では、発光部５０として、３個のＬＥＤ素子を用いて報知内容に応じて色とパターンを変えて表示する方法について説明したが、表示方法はこれに限ることなく、例えば、発光部５０として、１個のマルチカラーＬＥＤ素子を用いる場合には、報知内容に応じて色のみを変えて表示する方法を採用してもよい。また、１個のモノカラーＬＥＤ素子を用いる場合には、報知内容に応じて発光パターン（点灯点滅パターン）のみを変えて表示する方法を採用することも可能である。
【００７９】
また、上記実施例では、天気情報の表示方法について説明したが、表示する情報はこれに限ることなく、定期的に報知内容が変化したりネットワークを介して配信されたりするその他の情報に適用することも可能である。
【００８０】
例えば、株価情報であっても本発明は同様に適用可能である。この場合、日経平均、ＴＯＰＩＸ、あるいは特定の銘柄の株価が、予め設定した基準価格あるいは前日株価との比較によって、マイナス（下落）だと赤色、プラス（上昇）だと緑色で表示することも可能である。
【００８１】
また、占い情報であっても本発明は同様に適用可能である。その場合、予め生年月日を設定し、星座を選択しておけば、今日の運勢を所定の色で表示することも可能である。また、お気に入りサイト・ブログ更新情報であっても本発明は同様に適用可能である。その場合、特定のサイトやブログが更新された場合に所定の色で表示するも可能である。さらに、通話・通信料金情報であっても本発明は同様に適用可能である。その場合、毎月の使用料が所定の料金レベルとの比較によって、例えば、基準値まであと１０００円までは青色、基準値まであと５００円までは黄色、基準値を超えると赤色で表示することも可能である。
【００８２】
次に、本発明にかかる携帯電話機の表示動作について説明する。
【００８３】
図５は、本実施例にかかる携帯電話機の動作を示すフローチャートである。
【００８４】
なお、図５に示す動作は制御回路３６に接続されたＲＯＭ４０に記憶されている制御プログラムを実行することで実現される。
【００８５】
まず、図５に示すフローチャートの動作に移るまえに、制御回路３６がＲＡＭ４０に記憶されている各種アプリケーション（機能プログラム）を起動させて各種機能を実行する。なお、実行される各種アプリケーション（機能プログラム）は、携帯電話機１０の電源をオンにした際やタイマ起動設定により所定時刻になった際に自動的に起動されてもよいし、ユーザが携帯電話機１０の表示側筐体１０２を開き、入力部４４からの操作設定によってユーザが所望する機能を選択的に起動させてもよい。
【００８６】
そして、ユーザが携帯電話機１０の表示側筐体１０２を開き、携帯電話機１０の各種状態や携帯電話機１０にて実行中の各種アプリケーションを表す機能のうち、入力部４４からの操作設定によってユーザが所望の機能を選択すると、制御回路３６が選択した機能を表すアイコンを予めＲＡＭ４０に記憶されているアイコンテーブルの中から選択してサブディスプレイ４８に対して表示する。
【００８７】
このような状態になっている携帯電話機１０に対し、図５のフローチャートにおいて、まずステップＳ５００で、制御回路３６は、アンテナ１６、通信部１２およびベースバンド部１４を介して各種情報（コンテンツデータ）を受信したか否か判定し、受信している場合にはステップＳ５０１の処理に進み、一方、受信していない場合にはステップＳ５００の処理に戻る。
【００８８】
次に、ステップＳ５０１において、制御回路３６は、開閉検知部５８からの開状態検知信号に基づいて、携帯電話機１０の表示側筐体１０２が開いた状態になっているか否か判定し、表示側筐体１０２が開いた状態になっている場合にはステップＳ５０２の処理に進み、一方、表示側筐体１０２が閉じた状態になっている場合にはステップＳ５０３の処理に進む。
【００８９】
ステップＳ５０２の処理では、制御回路３６は、受信した情報に含まれる報知データ、あるいは報知データに対応するＲＡＭ４０に記憶されたアイコンを用いて、メインディスプレイ４２に対して表示するように制御することによりメインディスプレイ４２に所定の情報を表示し、処理を終了する。
【００９０】
一方、ステップＳ５０３の処理では、制御回路３６は、受信した情報がすでにユーザが選択した特定の機能に関する情報であるか否か判定し、特定の機能に関する情報である場合にはステップＳ５０４の処理に進み、一方、特定の機能に関する情報でない場合にはステップＳ５０５の処理に進む。
【００９１】
そして、ステップＳ５０４において、制御回路３６は、受信した情報に含まれる報知データを用いて、予めＲＡＭ４０に記憶されている発光制御テーブルの中から対応する発光部５０の発光パターンと発光色を選択して発光部５０に対して対応するパターンと色で発光するように制御することにより発光部５０を発光させ、処理を終了する。
【００９２】
一方、ステップＳ５０５において、制御回路３６は、受信した情報に含まれる報知データ、あるいは報知データに対応するＲＡＭ４０に記憶されたアイコンを用いて、サブディスプレイ４８に対して表示するように制御することによりサブディスプレイ４８に所定の情報を表示し、処理を終了する。
【００９３】
以上説明したように本発明にかかる携帯端末装置によれば、ユーザが所望する機能によって報知される情報に基づいて発光手段を発光することでユーザは所望する情報を容易に把握することが可能である。このため、視認性に優れた表示を提供することが可能であるとともに、携帯端末装置の製造コストを低く抑えることも可能である。また、ユーザが選択した機能の認識も容易となるため、ユーザにとっての利便性が向上する。
【００９４】
なお、上記実施例では、携帯電話機として折り畳み型携帯電話機について説明したが、携帯電話機はこれに限ることなく、ヒンジ機構により２つの筐体が回動・開閉自在に結合された形態の携帯端末装置に適用することも可能である。例えば、スライド型の携帯電話機であっても本発明は同様に適用可能である。
【００９５】
また、上記実施例では、折り畳み型携帯電話機において、ヒンジ機構により２つの筐体の相対位置から携帯電話機が開いた状態であると判断したが、これに限ることはなく、携帯電話機に設けられた所定のボタン（オープンボタン）が押下されるなどによってユーザによる携帯電話機の表示側筐体を開く操作を検知した場合に携帯電話機が開いた状態であると判断してもよい。
【図面の簡単な説明】
【００９６】
【図１】本発明の実施例にかかる携帯電話機の概観を示す図である。
【図２】本発明の実施例にかかる携帯電話機の構成を示すブロック図である。
【図３】本発明の実施例にかかるＲＡＭに記憶されているアイコンテーブルの一例を示している。
【図４】本発明の実施例にかかる発光部の発光パターンと発光色によって表される天気情報の一例を示している。
【図５】本発明の実施例にかかる携帯電話機の動作を示すフローチャートである。
【符号の説明】
【００９７】
１０・・・・携帯電話機
１２・・・・通信部
１４・・・・ベースバンド部
１６・・・・アンテナ
１８・・・・ＣＤＭＡ処理回路
２０・・・・音声コーデック
２２・・・・切替回路
２４、２８、３２・・・・増幅回路
２６・・・・第１スピーカ
３０・・・・マイクロホン
３４・・・・第２スピーカ
３６・・・・制御回路
３８・・・・ＲＯＭ
４０・・・・ＲＡＭ
４２・・・・メインディスプレイ
４４・・・・入力部
４６・・・・照明部
４８・・・・サブディスプレイ
５０・・・・発光部
５２・・・・開閉検知部
１０１・・・・操作側筐体
１０２・・・・表示側筐体
１０３・・・・ヒンジ機構
【図１】
2009147777.tif 000003
【図２】
2009147777.tif 000004
【図３】
2009147777.tif 000005
【図４】
2009147777.tif 000006
【図５】
2009147777.tif 000007